(57)【特許請求の範囲】
【請求項１】
波形表示領域に複数の信号波形を重ねて表示させる制御部を備えた波形表示装置であって、
前記制御部は、前記波形表示領域の全域、および当該波形表示領域内に時間軸方向に沿って複数並んで規定された単位表示領域のいずれか予め規定された一方に対応する第１の時間分の前記各信号波形の表示に要する画素数をそれぞれ特定すると共に、特定した当該画素数が多い前記信号波形ほど前記波形表示領域における当該第１の時間に対応する表示範囲内における変化量が多い信号波形として、当該表示範囲内において当該変化量が最も多い当該信号波形が最も背面側に表示されるように当該表示範囲内において当該各信号波形を重ねて表示させる波形表示装置。
【請求項２】
波形表示領域に複数の信号波形を重ねて表示させる制御部を備えた波形表示装置であって、
前記制御部は、前記波形表示領域の全域、および当該波形表示領域内に時間軸方向に沿って複数並んで規定された単位表示領域のいずれか予め規定された一方に対応する第１の時間よりも短時間で、かつ当該第１の時間内において連続する第２の時間内における前記各信号波形の信号レベル変化量の絶対値の合計値をそれぞれ特定すると共に、特定した当該合計値が多い前記信号波形ほど前記波形表示領域における当該第１の時間に対応する表示範囲内における変化量が多い信号波形として、当該表示範囲内において当該変化量が最も多い当該信号波形が最も背面側に表示されるように当該表示範囲内において当該各信号波形を重ねて表示させる波形表示装置。
【請求項３】
波形表示領域に複数の信号波形を重ねて表示させる制御部を備えた波形表示装置であって、
前記制御部は、前記波形表示領域の全域、および当該波形表示領域内に時間軸方向に沿って複数並んで規定された単位表示領域のいずれか予め規定された一方に対応する第１の時間内において前記各信号波形が予め規定された規定信号レベルを下回った回数および当該規定信号レベルを上回った回数の合計数をそれぞれ特定すると共に、特定した当該合計数が多い前記信号波形ほど前記波形表示領域における当該第１の時間に対応する表示範囲内における変化量が多い信号波形として、当該表示範囲内において当該変化量が最も多い当該信号波形が最も背面側に表示されるように当該表示範囲内において当該各信号波形を重ねて表示させる波形表示装置。
【請求項４】
波形表示領域に複数の信号波形を重ねて表示させる制御部を備えた波形表示装置であって、
前記制御部は、前記波形表示領域の全域、および当該波形表示領域内に時間軸方向に沿って複数並んで規定された単位表示領域のいずれか予め規定された一方に対応する第１の時間内における前記各信号波形の周期および／または信号レベル変化量をそれぞれ特定すると共に、特定した周期が短いおよび／または信号レベル変化量が多いほど前記波形表示領域における当該第１の時間に対応する表示範囲内における変化量が多い信号波形として、当該表示範囲内において当該変化量が最も多い当該信号波形が最も背面側に表示されるように当該表示範囲内において当該各信号波形を重ねて表示させる波形表示装置。
【請求項５】
前記制御部は、前記変化量が最も少ない前記信号波形が最も前面側に表示されるように前記表示範囲内において前記各信号波形を重ねて表示させる請求項１から４のいずれかに記載の波形表示装置。
【請求項６】
前記制御部は、前記変化量が多い前記信号波形から順に前記表示範囲内において前記各信号波形を重ねて表示させる請求項５記載の波形表示装置。
【請求項７】
前記制御部は、前記単位表示領域に対応する時間を前記第１の時間として前記各信号波形を重ねて表示させる際に、前記波形表示領域内の複数の当該単位表示領域にそれぞれ対応する複数の当該第１の時間内における前記変化量を特定して当該各単位表示領域毎に前記各信号波形を重ねる順序を規定する請求項１から６のいずれかに記載の波形表示装置。
【請求項８】
前記制御部は、前記第１の時間内の前記変化量が互いに等しい複数の前記信号波形が存在するときに、当該第１の時間に対応する前記単位表示領域内において、当該第１の時間の直前の他の前記第１の時間に対応する前記単位表示領域において当該各信号波形を重ねた順序と等しい順序で当該変化量が互いに等しい各信号波形を重ねて表示させる請求項７記載の波形表示装置。
【請求項９】
波形表示領域に複数の信号波形を重ねて表示させる波形表示方法であって、
前記波形表示領域の全域、および当該波形表示領域内に時間軸方向に沿って複数並んで規定された単位表示領域のいずれか予め規定された一方に対応する第１の時間分の前記各信号波形の表示に要する画素数をそれぞれ特定すると共に、特定した当該画素数が多い前記信号波形ほど前記波形表示領域における当該第１の時間に対応する表示範囲内における変化量が多い信号波形として、当該表示範囲内において当該変化量が最も多い当該信号波形が最も背面側に表示されるように当該表示範囲内において当該各信号波形を重ねて表示させる波形表示方法。
【請求項１０】
波形表示領域に複数の信号波形を重ねて表示させる波形表示方法であって、
前記波形表示領域の全域、および当該波形表示領域内に時間軸方向に沿って複数並んで規定された単位表示領域のいずれか予め規定された一方に対応する第１の時間よりも短時間で、かつ当該第１の時間内において連続する第２の時間内における前記各信号波形の信号レベル変化量の絶対値の合計値をそれぞれ特定すると共に、特定した当該合計値が多い前記信号波形ほど前記波形表示領域における当該第１の時間に対応する表示範囲内における変化量が多い信号波形として、当該表示範囲内において当該変化量が最も多い当該信号波形が最も背面側に表示されるように当該表示範囲内において当該各信号波形を重ねて表示させる波形表示方法。
【請求項１１】
波形表示領域に複数の信号波形を重ねて表示させる波形表示方法であって、
前記波形表示領域の全域、および当該波形表示領域内に時間軸方向に沿って複数並んで規定された単位表示領域のいずれか予め規定された一方に対応する第１の時間内において前記各信号波形が予め規定された規定信号レベルを下回った回数および当該規定信号レベルを上回った回数の合計数をそれぞれ特定すると共に、特定した当該合計数が多い前記信号波形ほど前記波形表示領域における当該第１の時間に対応する表示範囲内における変化量が多い信号波形として、当該表示範囲内において当該変化量が最も多い当該信号波形が最も背面側に表示されるように当該表示範囲内において当該各信号波形を重ねて表示させる波形表示方法。
【請求項１２】
波形表示領域に複数の信号波形を重ねて表示させる波形表示方法であって、
前記波形表示領域の全域、および当該波形表示領域内に時間軸方向に沿って複数並んで規定された単位表示領域のいずれか予め規定された一方に対応する第１の時間内における前記各信号波形の周期および／または信号レベル変化量をそれぞれ特定すると共に、特定した周期が短いおよび／または信号レベル変化量が多いほど前記波形表示領域における当該第１の時間に対応する表示範囲内における変化量が多い信号波形として、当該表示範囲内において当該変化量が最も多い当該信号波形が最も背面側に表示されるように当該表示範囲内において当該各信号波形を重ねて表示させる波形表示方法。
【請求項１３】
前記変化量が最も少ない前記信号波形が最も前面側に表示されるように前記表示範囲内において前記各信号波形を重ねて表示させる請求項９から１２のいずれかに記載の波形表示方法。
【請求項１４】
前記変化量が多い前記信号波形から順に前記表示範囲内において前記各信号波形を重ねて表示させる請求項１３記載の波形表示方法。
【請求項１５】
前記単位表示領域に対応する時間を前記第１の時間として前記各信号波形を重ねて表示させる際に、前記波形表示領域内の複数の当該単位表示領域にそれぞれ対応する複数の当該第１の時間内における前記変化量を特定して当該各単位表示領域毎に前記各信号波形を重ねる順序を規定する請求項９から１４のいずれかに記載の波形表示方法。
【請求項１６】
前記第１の時間内の前記変化量が互いに等しい複数の前記信号波形が存在するときに、当該第１の時間に対応する前記単位表示領域内において、当該第１の時間の直前の他の前記第１の時間に対応する前記単位表示領域において当該各信号波形を重ねた順序と等しい順序で当該変化量が互いに等しい各信号波形を重ねて表示させる請求項１５記載の波形表示方法。
【発明の詳細な説明】
【技術分野】
【０００１】
本発明は、波形表示領域に複数の信号波形を重ねて表示させる波形表示装置および波形表示方法に関するものである。
【背景技術】
【０００２】
この種の波形表示方法に従って波形表示領域に信号波形を表示する波形表示装置として、複数測定系統の測定波形を同一画面内に重ねて表示するように構成された波形表示装置が特開２０００−３５４４８号公報に開示されている。この波形表示装置では、表示画面内に規定された波形表示領域に１２個の測定波形が重ねて表示されると共に、注目波形を個別選択するための表示バーが各測定波形に対応して表示される操作領域が波形表示領域の右側に規定されている。また、この波形表示装置では、例えばチャンネル番号１の測定波形に対応する表示バーを選択することにより、チャンネル番号１の測定波形が波形表示領域において最前面に表示され、チャンネル番号１２の測定波形に対応する表示バーを選択することにより、チャンネル番号１２の測定波形が波形表示領域において最前面に表示される構成が採用されている。これにより、所望の測定波形を最前面に表示させた状態において詳細に観察することが可能となっている。
【先行技術文献】
【特許文献】
【０００３】
【特許文献１】特開２０００−３５４４８号公報（第２−３頁、第１−２図）
【発明の概要】
【発明が解決しようとする課題】
【０００４】
ところが、従来の波形表示装置には、以下の問題点が存在する。すなわち、従来の波形表示装置では、選択された表示バーに対応付けられている測定波形（信号波形）を最前面に表示させる構成が採用されている。この場合、この種の波形表示装置によって複数の信号波形を表示させる際には、図７における右図に示すように、変化量が少ない信号波形Ｗ１（周期が長い、および／または、振幅レベルが小さい信号波形：左図参照）と、変化量が多い信号波形Ｗ２（周期が短い、および／または、振幅レベルが大きい信号波形：中央図参照）とを重ねて表示させることがある。このような例において、信号波形Ｗ１の上に信号波形Ｗ２が重なって表示されたときには、信号波形Ｗ２によって信号波形Ｗ１が覆い隠されて、信号波形Ｗ１が殆ど見えない状態となる。したがって、信号波形Ｗ１が波形表示領域に表示されていること自体を認識できないおそれがある。
【０００５】
この場合、従来の波形表示装置では、選択した表示バーに対応付けられた測定波形（信号波形）を最前面に表示させることができるものの、対応する表示バーが選択されていない測定波形（信号波形）については、チャンネル番号順、または、過去における表示バーの選択順で重なって表示されることとなる。したがって、従来の波形表示装置では、変化量が相違する３つ以上の信号波形を重ねて表示させるときに、他の信号波形を覆い隠してそれらの視認性を低下させるおそれがある「最も変化量が多い信号波形」を最も背面側に表示させるために、その「最も変化量が多い信号波形」以外の複数の信号波形に対応付けられた複数の表示バーのすべてを順次選択する操作が必要となり、この選択操作が非常に煩雑であるという問題点がある。
【０００６】
一方、複数の信号波形を重ねることなく個別に並べて表示させる構成を採用することも考えられる。しかしながら、そのような構成では、信号波形１つ当りの表示面積が狭くなる結果、各信号波形の読み取りが困難となるおそれがある。また、いずれの信号波形をどのような表示倍率でどの表示位置に表示させるかを個別に設定する操作が必要となるため、この設定操作が煩雑であるという問題点もある。
【０００７】
本発明は、かかる問題点に鑑みてなされたものであり、変化量が少ない信号波形の視認性を向上させ得る波形表示装置および波形表示方法を提供することを主目的とする。
【課題を解決するための手段】
【０００８】
上記目的を達成すべく、請求項１記載の波形表示装置は、波形表示領域に複数の信号波形を重ねて表示させる制御部を備えた波形表示装置であって、前記制御部が、前記波形表示領域の全域、および当該波形表示領域内に時間軸方向に沿って複数並んで規定された単位表示領域のいずれか予め規定された一方に対応する第１の時間分の前記各信号波形の表示に要する画素数をそれぞれ特定すると共に、特定した当該画素数が多い前記信号波形ほど前記波形表示領域における当該第１の時間に対応する表示範囲内における変化量が多い信号波形として、当該表示範囲内において当該変化量が最も多い当該信号波形が最も背面側に表示されるように当該表示範囲内において当該各信号波形を重ねて表示させる。
【０００９】
また、請求項２記載の波形表示装置は、波形表示領域に複数の信号波形を重ねて表示させる制御部を備えた波形表示装置であって、前記制御部が、前記波形表示領域の全域、および当該波形表示領域内に時間軸方向に沿って複数並んで規定された単位表示領域のいずれか予め規定された一方に対応する第１の時間よりも短時間で、かつ当該第１の時間内において連続する第２の時間内における前記各信号波形の信号レベル変化量の絶対値の合計値をそれぞれ特定すると共に、特定した当該合計値が多い前記信号波形ほど前記波形表示領域における当該第１の時間に対応する表示範囲内における変化量が多い信号波形として、当該表示範囲内において当該変化量が最も多い当該信号波形が最も背面側に表示されるように当該表示範囲内において当該各信号波形を重ねて表示させる。
【００１０】
また、請求項３記載の波形表示装置は、波形表示領域に複数の信号波形を重ねて表示させる制御部を備えた波形表示装置であって、前記制御部が、前記波形表示領域の全域、および当該波形表示領域内に時間軸方向に沿って複数並んで規定された単位表示領域のいずれか予め規定された一方に対応する第１の時間内において前記各信号波形が予め規定された規定信号レベルを下回った回数および当該規定信号レベルを上回った回数の合計数をそれぞれ特定すると共に、特定した当該合計数が多い前記信号波形ほど前記波形表示領域における当該第１の時間に対応する表示範囲内における変化量が多い信号波形として、当該表示範囲内において当該変化量が最も多い当該信号波形が最も背面側に表示されるように当該表示範囲内において当該各信号波形を重ねて表示させる。
【００１１】
また、請求項４記載の波形表示装置は、波形表示領域に複数の信号波形を重ねて表示させる制御部を備えた波形表示装置であって、前記制御部が、前記波形表示領域の全域、および当該波形表示領域内に時間軸方向に沿って複数並んで規定された単位表示領域のいずれか予め規定された一方に対応する第１の時間内における前記各信号波形の周期および／または信号レベル変化量をそれぞれ特定すると共に、特定した周期が短いおよび／または信号レベル変化量が多いほど前記波形表示領域における当該第１の時間に対応する表示範囲内における変化量が多い信号波形として、当該表示範囲内において当該変化量が最も多い当該信号波形が最も背面側に表示されるように当該表示範囲内において当該各信号波形を重ねて表示させる。
【００１２】
また、請求項５記載の波形表示装置は、請求項１から４のいずれかに記載の波形表示装置において、前記制御部が、前記変化量が最も少ない前記信号波形が最も前面側に表示されるように前記表示範囲内において前記各信号波形を重ねて表示させる。
【００１３】
さらに、請求項６記載の波形表示装置は、請求項５記載の波形表示装置において、前記制御部が、前記変化量が多い前記信号波形から順に前記表示範囲内において前記各信号波形を重ねて表示させる。
【００１４】
さらに、請求項７記載の波形表示装置は、請求項１から６のいずれかに記載の波形表示装置において、前記制御部が、前記単位表示領域に対応する時間を前記第１の時間として前記各信号波形を重ねて表示させる際に、前記波形表示領域内の複数の当該単位表示領域にそれぞれ対応する複数の当該第１の時間内における前記変化量を特定して当該各単位表示領域毎に前記各信号波形を重ねる順序を規定する。
【００１５】
さらに、請求項８記載の波形表示装置は、請求項７記載の波形表示装置において、前記制御部が、前記第１の時間内の前記変化量が互いに等しい複数の前記信号波形が存在するときに、当該第１の時間に対応する前記単位表示領域内において、当該第１の時間の直前の他の前記第１の時間に対応する前記単位表示領域において当該各信号波形を重ねた順序と等しい順序で当該変化量が互いに等しい各信号波形を重ねて表示させる。
【００１６】
また、請求項９記載の波形表示方法は、波形表示領域に複数の信号波形を重ねて表示させる波形表示方法であって、前記波形表示領域の全域、および当該波形表示領域内に時間軸方向に沿って複数並んで規定された単位表示領域のいずれか予め規定された一方に対応する第１の時間分の前記各信号波形の表示に要する画素数をそれぞれ特定すると共に、特定した当該画素数が多い前記信号波形ほど前記波形表示領域における当該第１の時間に対応する表示範囲内における変化量が多い信号波形として、当該表示範囲内において当該変化量が最も多い当該信号波形が最も背面側に表示されるように当該表示範囲内において当該各信号波形を重ねて表示させる。
【００１７】
また、請求項１０記載の波形表示方法は、波形表示領域に複数の信号波形を重ねて表示させる波形表示方法であって、前記波形表示領域の全域、および当該波形表示領域内に時間軸方向に沿って複数並んで規定された単位表示領域のいずれか予め規定された一方に対応する第１の時間よりも短時間で、かつ当該第１の時間内において連続する第２の時間内における前記各信号波形の信号レベル変化量の絶対値の合計値をそれぞれ特定すると共に、特定した当該合計値が多い前記信号波形ほど前記波形表示領域における当該第１の時間に対応する表示範囲内における変化量が多い信号波形として、当該表示範囲内において当該変化量が最も多い当該信号波形が最も背面側に表示されるように当該表示範囲内において当該各信号波形を重ねて表示させる。
【００１８】
また、請求項１１記載の波形表示方法は、波形表示領域に複数の信号波形を重ねて表示させる波形表示方法であって、前記波形表示領域の全域、および当該波形表示領域内に時間軸方向に沿って複数並んで規定された単位表示領域のいずれか予め規定された一方に対応する第１の時間内において前記各信号波形が予め規定された規定信号レベルを下回った回数および当該規定信号レベルを上回った回数の合計数をそれぞれ特定すると共に、特定した当該合計数が多い前記信号波形ほど前記波形表示領域における当該第１の時間に対応する表示範囲内における変化量が多い信号波形として、当該表示範囲内において当該変化量が最も多い当該信号波形が最も背面側に表示されるように当該表示範囲内において当該各信号波形を重ねて表示させる。
【００１９】
また、請求項１２記載の波形表示方法は、波形表示領域に複数の信号波形を重ねて表示させる波形表示方法であって、前記波形表示領域の全域、および当該波形表示領域内に時間軸方向に沿って複数並んで規定された単位表示領域のいずれか予め規定された一方に対応する第１の時間内における前記各信号波形の周期および／または信号レベル変化量をそれぞれ特定すると共に、特定した周期が短いおよび／または信号レベル変化量が多いほど前記波形表示領域における当該第１の時間に対応する表示範囲内における変化量が多い信号波形として、当該表示範囲内において当該変化量が最も多い当該信号波形が最も背面側に表示されるように当該表示範囲内において当該各信号波形を重ねて表示させる。
【００２０】
また、請求項１３記載の波形表示方法は、請求項９から１２のいずれかに記載の波形表示方法において、前記変化量が最も少ない前記信号波形が最も前面側に表示されるように前記表示範囲内において前記各信号波形を重ねて表示させる。
【００２１】
さらに、請求項１４記載の波形表示方法は、請求項１３記載の波形表示方法において、前記変化量が多い前記信号波形から順に前記表示範囲内において前記各信号波形を重ねて表示させる。
【００２２】
さらに、請求項１５記載の波形表示方法は、請求項９から１４のいずれかに記載の波形表示方法において、前記単位表示領域に対応する時間を前記第１の時間として前記各信号波形を重ねて表示させる際に、前記波形表示領域内の複数の当該単位表示領域にそれぞれ対応する複数の当該第１の時間内における前記変化量を特定して当該各単位表示領域毎に前記各信号波形を重ねる順序を規定する。
【００２３】
さらに、請求項１６記載の波形表示方法は、請求項１５記載の波形表示方法において、前記第１の時間内の前記変化量が互いに等しい複数の前記信号波形が存在するときに、当該第１の時間に対応する前記単位表示領域内において、当該第１の時間の直前の他の前記第１の時間に対応する前記単位表示領域において当該各信号波形を重ねた順序と等しい順序で当該変化量が互いに等しい各信号波形を重ねて表示させる。
【発明の効果】
【００２４】
請求項１から４記載の波形表示装置、および請求項９から１２記載の波形表示方法によれば、波形表示領域における第１の時間に対応する表示範囲内において変化量が最も多い信号波形が最も背面側に表示されるように表示範囲内において各信号波形を重ねて表示させることにより、「変化量が最も多い信号波形」を最も背面側に表示させるように複数回の煩雑な操作を行う必要がある従来の波形表示装置、およびその波形表示方法とは異なり、「変化量が最も多い信号波形」が最も背面側に表示されるため、「変化量が最も多い信号波形」によって「変化量が少ない信号波形」が覆い隠される事態を確実かつ容易に回避して「変化量が少ない信号波形」の視認性を十分に向上させることができる。
【００２５】
また、請求項１記載の波形表示装置、および請求項９記載の波形表示方法によれば、第１の時間分の表示に要する画素数が多い信号波形ほど変化量が多い（すなわち、画素数が少ない信号波形ほど変化量が少ない）と特定することにより、表示に要する画素数が多いことで、その信号波形の背面側に表示される他の信号波形の視認性を損なう可能性が高い信号波形が「変化量が多い信号波形」と特定されて他の信号波形よりも背面側に表示されると共に、表示に要する画素数が少ないことで、その信号波形の背面側に表示される他の信号波形の視認性を損なう可能性が低い信号波形が「変化量が少ない信号波形」と特定されて他の信号波形よりも前面側に表示される変化量が少ない信号波形の視認性を確実に向上させることができる。
【００２６】
また、請求項２記載の波形表示装置、および請求項１０記載の波形表示方法によれば、第１の時間内において、第１の時間よりも短時間の第２の時間内における信号レベル変化量の絶対値の合計値が多い信号波形ほど変化量が多い（すなわち、合計値が少ない信号波形ほど変化量が少ない）と特定することにより、周期が短い、および／または振幅値が大きいことで、その信号波形の背面側に表示される他の信号波形の視認性を損なう可能性が高い信号波形が「変化量が多い信号波形」と特定されて背面側に表示されると共に、周期が長い、および／または振幅値が小さいことで、その信号波形の背面側に表示される他の信号波形の視認性を損なう可能性が低い信号波形が「変化量が少ない信号波形」と特定されて前面側に表示されるため、変化量が少ない信号波形の視認性を確実に向上させることができる。
【００２７】
また、請求項３記載の波形表示装置、および請求項１１記載の波形表示方法によれば、第１の時間内において、予め規定された規定信号レベルを下回った回数および規定信号レベルを上回った回数の合計数が多い信号波形ほど変化量が多い（すなわち、合計数が少ない信号波形ほど変化量が少ない）と特定することにより、周期が短いことで、その信号波形の背面側に表示される他の信号波形の視認性を損なう可能性が高い信号波形が「変化量が多い信号波形」と特定されて背面側に表示されると共に、周期が長いことで、その信号波形の背面側に表示される他の信号波形の視認性を損なう可能性が低い信号波形が「変化量が少ない信号波形」と特定されて前面側に表示されるため、変化量が少ない信号波形の視認性を確実に向上させることができる。
【００２８】
請求項５記載の波形表示装置、および請求項１３記載の波形表示方法によれば、変化量が最も少ない信号波形が最も前面側に表示されるように表示範囲内において各信号波形を重ねて表示させることにより、「変化量が最も少ない信号波形」の上に他の信号波形が重なって表示されることがないため、「変化量が最も少ない信号波形」の視認性を十分に向上させることができる。
【００２９】
請求項６記載の波形表示装置、および請求項１４記載の波形表示方法によれば、変化量が多い信号波形から順に表示範囲内において各信号波形を重ねて表示させることにより、「変化量が少ない信号波形」の上に、その信号波形よりも変化量が多い信号波形が重なって表示されることがないため、「変化量が少ない信号波形」の視認性を十分に向上させることができる。
【００３０】
請求項７記載の波形表示装置、および請求項１５記載の波形表示方法によれば、単位表示領域に対応する時間を第１の時間として各信号波形を重ねて表示させる際に、波形表示領域内の複数の単位表示領域にそれぞれ対応する複数の第１の時間内における変化量を特定して各単位表示領域毎に各信号波形を重ねる順序を規定することにより、各信号波形の変化量が波形表示領域内において変化している状態においても、各単位表示領域毎において「変化量が多い信号波形」の上に「変化量が少ない信号波形」が重ねて表示されるため、波形表示領域の全域において信号波形の視認性を向上させることができる。
【００３１】
請求項８記載の波形表示装置、および請求項１６記載の波形表示方法によれば、第１の時間内の変化量が互いに等しい複数の信号波形が存在するときに、その第１の時間に対応する単位表示領域内において、その第１の時間の直前の他の第１の時間に対応する単位表示領域において各信号波形を重ねた順序と等しい順序で変化量が互いに等しい各信号波形を重ねて表示させることにより、直前の他の単位表示領域において読み取った視認条件と同じ条件で引き続き時間軸方向に沿って各信号波形を読み取ることができる結果、変化量が等しい単位表示領域内においても信号波形を確実かつ容易に読み取ることができる。
【図面の簡単な説明】
【００３２】
【図１】波形表示装置１の構成を示すブロック図である。
【図２】信号波形表示画面１０の一例を示す表示画面図である。
【図３】波形表示処理５０のフローチャートである。
【図４】図２に示す信号波形表示画面１０の波形表示領域１１における単位表示領域Ａ１，Ａ４の一部を拡大した拡大表示画面図である。
【図５】信号波形Ｗａ，Ｗｂの変化量について説明するための説明図である。
【図６】他の信号波形Ｗａ，Ｗｂの変化量について説明するための説明図である。
【図７】信号波形Ｗ１，Ｗ２の表示について説明するための説明図である。
【発明を実施するための形態】
【００３３】
以下、波形表示装置および波形表示方法の実施の形態について、添付図面を参照して説明する。
【００３４】
図１に示す波形表示装置１は、測定部２、操作部３、表示部４、制御部５および記憶部６を備え、後述する波形表示方法に従って表示部４に信号波形Ｗ１，Ｗ２（図２参照）等を表示可能に構成されている。なお、この波形表示装置１では、３つ以上の複数の信号波形を表示することもできるが、波形表示方法についての理解を容易とするために、信号波形Ｗ１，Ｗ２の２つ（以下、区別しないときには「信号波形Ｗ」ともいう）を表示させる例について以下に説明する。
【００３５】
測定部２は、一例として、複数の測定チャンネルを備え、制御部５の制御に従って、入力信号Ｓｉ１，Ｓｉ２についての電気的パラメータ（一例として、電圧値）を測定して（予め設定されたサンプリング周期でサンプリングして）測定データＤ１，Ｄ２（波形データ）を生成し、生成した測定データＤ１，Ｄ２を制御部５に出力する。なお、「信号波形」を表示する電気的パラメータは電圧値に限定されるものではなく、電流値や位相等の各種パラメータについて、その信号波形を表示させる構成および方法を採用することができる。この場合、この波形表示装置１では、測定部２に対して設定される上記のサンプリング周期に対応する時間（一例として、５０ｎ秒〜１００μ秒の間の任意の時間）が「第１の時間よりも短時間の第２の時間」に相当する。
【００３６】
操作部３は、波形表示装置１の動作条件を設定するための操作スイッチや、測定データＤ１，Ｄ２の記録および信号波形Ｗの表示を開始／終了するためのスタートスイッチおよびストップスイッチ等の各種操作スイッチ（図示せず）を備え、これらの操作に応じた操作信号Ｓ１を制御部５に出力する。表示部４は、一例として液晶表示パネルを備えて構成されて、制御部５から出力される表示信号Ｓ２に基づき、波形表示装置１の動作条件を設定するための動作条件設定画面（図示せず）や、信号波形Ｗを表示する信号波形表示画面１０（図２参照）を表示する。この場合、図２に示すように、信号波形表示画面１０は、信号波形Ｗを表示するための波形表示領域１１が規定され、この波形表示領域１１には、時間軸を左右方向に対応させ、かつ、信号レベル（この例では、電圧値のレベル）を左右方向に直交する上下方向に対応させて信号波形Ｗが表示される。
【００３７】
また、この信号波形表示画面１０では、上記の波形表示領域１１内に単位表示領域Ａ１〜Ａ１０（以下、区別しないときには「単位表示領域Ａ」ともいう）の１０個の領域（「表示範囲」の一例）が時間軸方向（左右方向）に沿って並んで規定され、後述するようにして、信号波形Ｗの表示に際しては、制御部５によってこの単位表示領域Ａ毎に信号波形Ｗの変化量が特定されて信号波形Ｗを重ねる順序が規定される。この場合、各単位表示領域Ａには、波形表示領域１１に対して設定された表示倍率に応じて、一例として、５μ秒〜５分の間の任意の時間（一例として、１００μ秒：「第１の時間」の一例）が対応付けられて信号波形Ｗが表示される。なお、実際の信号波形表示画面１０には、上記の波形表示領域１１以外の各種情報表示領域が規定されて、信号波形Ｗに関連する各種の情報が表示されるが、波形表示装置１の構成、およびその波形表示方法についての理解を容易とするために、これらについての図示および説明を省略する。
【００３８】
制御部５は、波形表示装置１を総括的に制御する。具体的には、制御部５は、操作部３からの操作信号Ｓ１に応じて測定部２を制御して入力信号Ｓｉ１，Ｓｉ２についての測定処理（入力信号Ｓｉ１，Ｓｉ２をサンプリングして測定データＤ１，Ｄ２を生成する処理）を実行させる。また、制御部５は、測定部２から出力される測定データＤ１，Ｄ２を記憶部６に記憶させると共に、図３に示す波形表示処理５０を実行して、信号波形Ｗを表示させるための表示信号Ｓ２を生成して表示部４に出力することで信号波形表示画面１０（波形表示領域１１）に信号波形Ｗを表示させる。記憶部６は、測定データＤ１，Ｄ２や、制御部５の動作プログラムなどを記憶する。
【００３９】
次に、波形表示装置１による信号波形Ｗの表示処理（波形表示方法）について、添付図面を参照して説明する。
【００４０】
この波形表示装置１では、操作部３のスタートスイッチが操作されて操作信号Ｓ１が出力されたときに、制御部５が、測定部２を制御して測定処理を開始させる。この際に、測定部２は、入力信号Ｓｉ１，Ｓｉ２をデジタル変換すると共に、設定された時間間隔でデジタル信号をサンプリングして測定データＤ１，Ｄ２を生成し、生成した測定データＤ１，Ｄ２を制御部５に出力する。これに応じて、制御部５は、測定部２から出力された測定データＤ１，Ｄ２を記憶部６に順次記憶させる。また、制御部５は、測定データＤ１，Ｄ２の記憶処理と並行して、測定データＤ１，Ｄ２に基づく信号波形Ｗ１，Ｗ２を表示部４に表示させる波形表示処理を実行する。なお、測定部２による測定処理と並行して実行する波形表示処理において、制御部５は、一例として、測定データＤ１に基づく信号波形Ｗ１の上に、測定データＤ２に基づく信号波形Ｗ２を重ねて波形表示領域１１に表示させる（図示せず）。
【００４１】
一方、測定部２による一連の測定処理が終了した状態において、記憶部６内の測定データＤ１，Ｄ２に基づく信号波形Ｗ１，Ｗ２を表示させる際には、操作部３における所定の操作スイッチを操作する。この際に、制御部５は、操作部３からの操作信号Ｓ１に応じて、図３に示す波形表示処理５０を開始する。この波形表示処理５０では、制御部５は、まず、測定データＤ１，Ｄ２に基づき、信号波形表示画面１０における単位表示領域Ａ１〜Ａ１０毎の信号波形Ｗ１，Ｗ２の変化量を特定する（ステップ５１）。具体的には、一例として、制御部５は、各単位表示領域Ａに対応付けられている１００μ秒分の信号波形Ｗ１の表示に要する画素数、および１００μ秒分の信号波形Ｗ２の表示に要する画素数を各単位表示領域Ａ１〜Ａ１０毎にそれぞれ特定する。
【００４２】
次いで、制御部５は、信号波形Ｗ１の変化量（この例では、信号波形Ｗ１の表示に要する画素数）と、信号波形Ｗ２の変化量（この例では、信号波形Ｗ２の表示に要する画素数）とを比較する（ステップ５２）。この際に、信号波形Ｗ１の変化量よりも信号波形Ｗ２の変化量の方が多い単位表示領域Ａ（信号波形Ｗ２の変化量よりも信号波形Ｗ１の変化量の方が少ない単位表示領域Ａ）については、制御部５は、その単位表示領域Ａ内において、信号波形Ｗ２の上に信号波形Ｗ１が重なって表示されるように表示信号Ｓ２を生成して表示部４に出力し（ステップ５３）、その単位表示領域Ａについての波形表示処理５０を終了する。これにより、図２に示す単位表示領域Ａ１〜Ａ３，Ａ８〜Ａ１０のように、変化量が多い（表示に要する画素数が多い）信号波形Ｗ２の上に、変化量が少ない（表示に要する画素数が少ない）信号波形Ｗ１が重なって表示される。
【００４３】
この場合、図４の左図に示すように、変化量が多い信号波形Ｗ２の上に、変化量が少ない信号波形Ｗ１が重なって表示されることにより、信号波形Ｗ２によって信号波形Ｗ１の視認が妨げられる事態が回避される。また、変化量が多い信号波形Ｗ２は、その上に、変化量が少ない信号波形Ｗ１が重なって表示された状態においても視認性が大きく低下する事態を招くことがない。したがって、信号波形Ｗ１，Ｗ２の双方を十分に認識することが可能となる。
【００４４】
一方、信号波形Ｗ１の変化量が信号波形Ｗ２の変化量の方よりも多い単位表示領域Ａ（信号波形Ｗ２の変化量が信号波形Ｗ１の変化量の方よりも少ない単位表示領域Ａ）については、制御部５は、その単位表示領域Ａ内において、信号波形Ｗ１の上に信号波形Ｗ２が重なって表示されるように表示信号Ｓ２を生成して表示部４に出力し（ステップ５４）、その単位表示領域Ａについての波形表示処理５０を終了する。これにより、図２に示す単位表示領域Ａ４〜Ａ７のように、変化量が多い（表示に要する画素数が多い）信号波形Ｗ１の上に、変化量が少ない（表示に要する画素数が少ない）信号波形Ｗ２が重なって表示される。
【００４５】
この場合、図４の右図に示すように、変化量が多い信号波形Ｗ１の上に、変化量が少ない信号波形Ｗ２が重なって表示されることにより、信号波形Ｗ１によって信号波形Ｗ２の視認が妨げられる事態が回避される。また、変化量が多い信号波形Ｗ１は、その上に、変化量が少ない信号波形Ｗ２が重なって表示された状態においても視認性が大きく低下する事態を招くことがない。したがって、信号波形Ｗ１，Ｗ２の双方を十分に認識することが可能となる。
【００４６】
また、信号波形Ｗ１の変化量と信号波形Ｗ２の変化量とが等しい単位表示領域Ａ（この例では、表示に要する画素数が等しい単位表示領域Ａ：「第１の時間内の変化量が互いに等しい複数の信号波形が存在するとき」の一例）については、制御部５は、まず、その単位表示領域Ａに対応する時間の直前の他の時間に対応する単位表示領域Ａ（この例では、対象とする単位表示領域Ａの左に隣接している単位表示領域Ａ）において両信号波形Ｗ１，Ｗ２を重ねた順序を特定する（ステップ５５）。次いで、制御部５は、特定した順序で信号波形Ｗ１，Ｗ２が重なって表示されるように表示信号Ｓ２を生成して表示部４に出力し（ステップ５３，５４）、その単位表示領域Ａについての波形表示処理５０を終了する。これにより、変化量が同じ信号波形Ｗ１，Ｗ２については、その直前の単位表示領域Ａにおける重なりの順序が維持されて表示される（図示せず）。
【００４７】
一方、この波形表示装置１では、前述したように信号波形Ｗ１，Ｗ２の２つだけでなく３つ以上の複数の信号波形Ｗを波形表示領域１１内に重ねて表示させることが可能に構成されている。一例として、４つの信号波形Ｗを波形表示領域１１内に表示させるときには、制御部５は、信号波形Ｗ１，Ｗ２の表示に際して実行した上記の波形表示処理５０と同様にして、各単位表示領域Ａ毎に４つの信号波形Ｗの変化量を特定すると共に、変化量が最も多い信号波形Ｗが最も背面側に表示され、かつ変化量が最も少ない信号波形Ｗが最も前面側に表示されるように、変化量が多い信号波形Ｗから順に重ねて単位表示領域Ａ内に４つの信号波形Ｗを重ねて表示させる（図示せず）。
【００４８】
このように、この波形表示装置１、および波形表示装置１による波形表示方法によれば、波形表示領域１１における単位表示領域Ａ内において変化量が最も多い信号波形Ｗが最も背面側に表示されるように単位表示領域Ａ内において各信号波形Ｗを重ねて表示させることにより、「変化量が最も多い信号波形Ｗ」を最も背面側に表示させるように複数回の煩雑な操作を行う必要がある従来の波形表示装置、およびその波形表示方法とは異なり、「変化量が最も多い信号波形Ｗ」が最も背面側に表示されるため、「変化量が最も多い信号波形Ｗ」によって「変化量が少ない信号波形Ｗ」が覆い隠される事態を確実かつ容易に回避して「変化量が少ない信号波形Ｗ」の視認性を十分に向上させることができる。
【００４９】
また、この波形表示装置１、および波形表示装置１による波形表示方法によれば、変化量が最も少ない信号波形Ｗが最も前面側に表示されるように単位表示領域Ａ内において各信号波形Ｗを重ねて表示させることにより、「変化量が最も少ない信号波形Ｗ」の上に他の信号波形Ｗが重なって表示されることがないため、「変化量が最も少ない信号波形Ｗ」の視認性を十分に向上させることができる。
【００５０】
さらに、この波形表示装置１、および波形表示装置１による波形表示方法によれば、変化量が多い信号波形Ｗから順に単位表示領域Ａ内において各信号波形Ｗを重ねて表示させることにより、「変化量が少ない信号波形Ｗ」の上に、その信号波形Ｗよりも変化量が多い信号波形Ｗが重なって表示されることがないため、「変化量が少ない信号波形Ｗ」の視認性を十分に向上させることができる。
【００５１】
また、この波形表示装置１、および波形表示装置１による波形表示方法によれば、単位表示領域Ａに対応する時間分（第１の時間分）の表示に要する画素数が多い信号波形Ｗほど変化量が多い（すなわち、画素数が少ない信号波形Ｗほど変化量が少ない）と特定することにより、表示に要する画素数が多いことで、その信号波形Ｗの背面側に表示される他の信号波形Ｗの視認性を損なう可能性が高い信号波形Ｗが「変化量が多い信号波形Ｗ」と特定されて他の信号波形Ｗよりも背面側に表示されると共に、表示に要する画素数が少ないことで、その信号波形Ｗの背面側に表示される他の信号波形Ｗの視認性を損なう可能性が低い信号波形Ｗが「変化量が少ない信号波形Ｗ」と特定されて他の信号波形Ｗよりも前面側に表示される変化量が少ない信号波形Ｗの視認性を確実に向上させることができる。
【００５２】
さらに、この波形表示装置１、および波形表示装置１による波形表示方法によれば、波形表示領域１１内に単位表示領域Ａが時間軸方向に沿って複数並列表示されるように規定された状態において、複数の単位表示領域Ａにそれぞれ対応する複数の時間（第１の時間）内における変化量を特定して各単位表示領域Ａ毎に各信号波形Ｗを重ねる順序を規定することにより、各信号波形Ｗの変化量が波形表示領域１１内において変化している状態においても、各単位表示領域Ａ毎において「変化量が多い信号波形Ｗ」の上に「変化量が少ない信号波形Ｗ」が重ねて表示されるため、波形表示領域１１の全域において信号波形Ｗの視認性を向上させることができる。
【００５３】
また、この波形表示装置１、および波形表示装置１による波形表示方法によれば、単位表示領域Ａに対応する時間内（第１の時間内）の変化量が互いに等しい複数の信号波形Ｗが存在するときに、その第１の時間に対応する単位表示領域Ａ内において、その第１の時間の直前の他の第１の時間に対応する単位表示領域Ａにおいて各信号波形Ｗを重ねた順序と等しい順序で変化量が互いに等しい各信号波形Ｗを重ねて表示させることにより、直前の他の単位表示領域Ａにおいて読み取った視認条件と同じ条件で引き続き時間軸方向に沿って各信号波形Ｗを読み取ることができる結果、変化量が等しい単位表示領域Ａ内においても信号波形Ｗを確実かつ容易に読み取ることができる。
【００５４】
なお、表示に要する画素数が多い信号波形Ｗを「変化量が多い信号波形Ｗ」と特定する（表示に要する画素数が少ない信号波形Ｗを「変化量が少ない信号波形Ｗ」と特定する）構成および方法を例に挙げて説明したが、「変化量が多い信号波形Ｗ」および「変化量が少ない信号波形Ｗ」を特定する基準は、表示に要する画素数に限定されない。具体的には、一例として、予め決められた時間内の信号レベル変化量が多い信号波形Ｗを「変化量が多い信号波形Ｗ」と特定する（予め決められた時間内の信号レベル変化量が少ない信号波形Ｗを「変化量が少ない信号波形Ｗ」と特定する）構成および方法を採用することもできる。
【００５５】
より具体的には、例えば、図５に示すように、２種類の信号波形Ｗａ，Ｗｂを表示させるときに、一例として、この信号波形Ｗａ，Ｗｂの基となる測定データＤに基づき、そのサンプリング周期に対応する時間ｔ（一例として、１μ秒：「第２の時間」の一例）内における信号レベル変化量Ｌａ１，Ｌａ２・・、および信号レベル変化量Ｌｂ１，Ｌｂ２・・をそれぞれ特定する。次いで、特定した信号レベル変化量Ｌａ１，Ｌａ２・・の絶対値、および信号レベル変化量Ｌｂ１，Ｌｂ２・・の絶対値の単位表示領域Ａに対応する時間（第１の時間）分の合計値をそれぞれ演算し、合計値が多い信号波形Ｗほど変化量が多い（合計値が少ない信号波形Ｗほど変化量が少ない）と特定する。
【００５６】
この場合、同図に示す例では、信号波形Ｗａ，Ｗｂの振幅値は同じであるが、その周期は、信号波形Ｗａの方が信号波形Ｗｂよりも短い。したがって、周期が短いことで、その信号波形Ｗの背面側に表示される他の信号波形Ｗの視認性を損なう可能性が高い信号波形Ｗａの方が信号レベル変化量Ｌａ１，Ｌａ２・・の絶対値の合計値が多くなるため、「変化量が多い信号波形Ｗ」と特定されて、この信号波形Ｗａの上に信号波形Ｗｂが重なって表示されることとなる。一方、図６に示すように、周期が等しく、振幅値が相違する信号波形Ｗａ，Ｗｂについても、信号レベル変化量Ｌａ１，Ｌａ２・・、および信号レベル変化量Ｌｂ１，Ｌｂ２・・に基づいて「変化量が多い信号波形Ｗ」および「変化量が少ない信号波形Ｗ」を特定することができる。なお、同図に示す例では、振幅値が大きいことで、その信号波形Ｗの背面側に表示される他の信号波形Ｗの視認性を損なう可能性が高い信号波形Ｗｂの方が信号レベル変化量Ｌｂ１，Ｌｂ２・・の絶対値の合計値が多くなるため、「変化量が多い信号波形Ｗ」と特定されて、この信号波形Ｗｂの上に信号波形Ｗａが重なって表示されることとなる。
【００５７】
このように、単位表示領域Ａに対応する時間内（第１の時間内）において、測定データＤのサンプリング周期に対応する時間内（第１の時間よりも短時間の第２の時間内）における信号レベル変化量の絶対値の合計値が多い信号波形Ｗほど変化量が多い（すなわち、合計値が少ない信号波形Ｗほど変化量が少ない）と特定することにより、周期が短い、および／または振幅値が大きいことで、その信号波形Ｗの背面側に表示される他の信号波形Ｗの視認性を損なう可能性が高い信号波形Ｗが「変化量が多い信号波形Ｗ」と特定されて背面側に表示されると共に、周期が長い、および／または振幅値が小さいことで、その信号波形Ｗの背面側に表示される他の信号波形Ｗの視認性を損なう可能性が低い信号波形Ｗが「変化量が少ない信号波形Ｗ」と特定されて前面側に表示されるため、変化量が少ない信号波形Ｗの視認性を確実に向上させることができる。
【００５８】
また、単位表示領域Ａに対応する時間（第１の時間）内において予め規定した規定信号レベル（一例として、「０Ｖ」）を下回った回数および上回った回数の合計数（この例では、「ゼロクロス」の合計回数）が多い信号波形Ｗほど変化量が多い（合計数が少ない信号波形Ｗほど変化量が少ない）と特定する構成および方法を採用することもできる。このような構成および方法では、周期が短いことで規定信号レベル（例えば「０Ｖ」）と交差する回数が多い信号波形Ｗほど「変化量が多い信号波形Ｗ」と特定され、周期が長いことで規定信号レベルと交差する回数が少ない信号波形Ｗほど「変化量が少ない信号波形Ｗ」と特定される。したがって、このような構成および方法を採用することにより、周期が短いことで、その信号波形Ｗの背面側に表示される他の信号波形Ｗの視認性を損なう可能性が高い信号波形Ｗが「変化量が多い信号波形Ｗ」と特定されて背面側に表示されると共に、周期が長いことで、その信号波形Ｗの背面側に表示される他の信号波形Ｗの視認性を損なう可能性が低い信号波形Ｗが「変化量が少ない信号波形Ｗ」と特定されて前面側に表示されるため、変化量が少ない信号波形Ｗの視認性を確実に向上させることができる。
【００５９】
さらに、「変化量が最も少ない信号波形Ｗ」が最も前面側に表示されるように各信号波形Ｗを重ねて表示させる構成および方法について説明したが、「変化量が最も多い信号波形Ｗ」が最も背面側に表示されるように各信号波形Ｗを重ねる限り、「変化量が最も多い信号波形Ｗ」以外の信号波形Ｗを重ねる順序については、上記の例示に限定されない。このような構成および方法を採用して、「変化量が最も少ない信号波形Ｗ」が最も前面側に表示されない場合においても、「変化量が最も多い信号波形Ｗ」が最も背面側に表示されるため、この「変化量が最も多い信号波形Ｗ」によって他の信号波形Ｗが覆い隠される事態を確実かつ容易に回避することができる結果、他の信号波形Ｗの視認性を十分に向上させることができる。また、「変化量が最も多い信号波形Ｗ」が最も背面側に表示され、かつ、「変化量が最も少ない信号波形Ｗ」が最も前面側に表示される構成および方法において、この「変化量が最も多い信号波形Ｗ」および「変化量が最も少ない信号波形Ｗ」以外の信号波形Ｗを重ねる順序については、「変化量が多い信号波形Ｗ」ほど背面側に（「変化量が少ない信号波形Ｗ」ほど前面側に）表示されるような順序に限定されない。
【００６０】
加えて、波形表示領域１１内に複数の単位表示領域Ａ１〜Ａ１０が時間軸方向に並ぶように「第１の時間」を規定した例について説明したが、波形表示領域１１の全域に対応する時間を「第１の時間」として規定して、「変化量が多い信号波形Ｗ」および「変化量が少ない信号波形Ｗ」を特定する構成および方法を採用することもできる。このような構成および方法を採用することで、変化量の特定が容易となるため、処理能力が低い制御部であっても、各信号波形Ｗを重ねる順序を短時間で特定して表示させることができる。
【符号の説明】
【００６１】
１  波形表示装置
４  表示部
５  制御部
６  記憶部
１０  信号波形表示画面
１１  波形表示領域
５０  波形表示処理
Ａ１〜Ａ１０  単位表示領域
Ｄ１，Ｄ２  測定データ
Ｌａ１，Ｌａ２・・，Ｌｂ１，Ｌｂ２・・  信号レベル変化量
ｔ  時間
Ｓ２  表示信号
Ｗ１，Ｗ２，Ｗａ，Ｗｂ  信号波形
【図１】
0005484918.tif 000002
【図２】
0005484918.tif 000003
【図３】
0005484918.tif 000004
【図４】
0005484918.tif 000005
【図５】
0005484918.tif 000006
【図６】
0005484918.tif 000007
【図７】
0005484918.tif 000008